(57)【要約】【課題】  使用時に受信画像を表示できない状態において、画像が表示されないことの苦痛から利用者を開放することが可能なデジタル放送受信装置および表示切替方法を提供する。【解決手段】  本発明に係るデジタル放送受信装置は、デジタル放送の電波を受信するデジタル放送受信手段と、予め所定の画像を記憶する画像記憶手段と、デジタル放送受信手段により受信した受信画像と前記画像記憶手段に記憶された記憶画像とのいずれかを選択する画像選択手段とを備え、画像選択手段は、使用時に前記受信画像の表示が不可能な状態において、記憶画像を表示装置に表示させる。【選択図】        図５
2006094361.tif 000002
【特許請求の範囲】
【請求項１】
デジタル放送の電波を受信するデジタル放送受信手段と、
予め所定の画像を記憶する画像記憶手段と、
前記デジタル放送受信手段により受信した受信画像と前記画像記憶手段に記憶された記憶画像とのいずれかを選択する画像選択手段とを備え、
前記画像選択手段は、使用時に前記受信画像の表示が不可能な状態において、前記記憶画像を表示装置に表示させることを特徴とするデジタル放送受信装置。
【請求項２】
前記記憶画像は、前記受信画像の一部を保存したものであることを特徴とする請求項１に記載のデジタル放送受信装置。
【請求項３】
前記記憶画像は、ネットワークを介して得られたデータであることを特徴とする請求項１に記載のデジタル放送受信装置。
【請求項４】
前記画像記憶手段は複数の画像を記憶するものであり、当該複数の画像の中から１を選択して前記記憶画像とする記憶画像選択手段を備えることを特徴とする請求項１に記載のデジタル放送受信装置。
【請求項５】
前記受信画像の表示が不可能な状態とは、起動時、終了時、チャンネル切換時または受信状態不良時のいずれかであることを特徴とする請求項１に記載のデジタル放送受信装置。
【請求項６】
デジタル放送に基づく画像表示に関する入力を行う入力段階と、
前記入力に基づく処理の実行中に予め定めた画像表示を行う表示切替段階とを有することを特徴とする表示切替方法。
【請求項７】
前記入力は、電源スイッチの操作であることを特徴とする請求項６に記載の表示切替方法。
【請求項８】
第１の画像を表示する第１の表示段階と、
前記第１の画像からデジタル放送に基づく第２の画像に切り替わるまでの間に予め定めた画像を表示させる表示切替段階と、
前記予め定めた画像の表示中に表示可能となった前記第２の画像を前記予め定めた画像に代えて表示させる第２の表示段階とを有することを特徴とする表示切替方法。
【請求項９】
前記表示切替段階は、前記第１の画像に代えて表示する前記第２の画像の処理の経過に応じた動画を表示することを特徴とする請求項８に記載の表示切替方法。
【請求項１０】
前記表示切替段階は、利用者によるチャンネル切換え操作に基づいて前記第２の画像に切り替わるまでの間に予め定めた画像を表示させることを特徴とする請求項８に記載の表示切替方法。
【請求項１１】
前記表示切替段階は、前記デジタル放送を受信することにより得られる静止画、動画等に応じた画像を表示させることを特徴とする請求項８に記載の表示切替方法。
【発明の詳細な説明】
【技術分野】
【０００１】
本発明は、デジタル放送受信装置に関し、特に起動時や受信チャンネル変更時などの受信画像の表示が不可能な際に表示する画像を利用者の好みに応じて選択可能なデジタル放送受信装置および表示切替方法に関する。
【背景技術】
【０００２】
旧来、テレビとは各家庭に設置され、テレビ番組を見たい視聴者は、放送時間に合わせて家に帰り視聴するものであった。しかし、時代の流れとともに、視聴者のニーズは変化し、携帯型の液晶テレビやビデオ録画機の出現、更には新たなコンテンツの出現に伴い、その形態は大きく変化してきた。テレビが唯一の娯楽といわれていた時代から一変し、高視聴率番組も誕生しにくくなってきてはいるが、それでもなお、テレビから得られる情報量の多さやその手軽さには魅力的なものであり、外出先であってもテレビを見られるという環境が求められている。
【０００３】
携帯型液晶テレビの価格も手頃となり、外出先や移動中の車内などでテレビ番組の視聴が可能となっていたが、視聴可能な番組は地上波放送に限られていた。その一方で、家庭における据置型のテレビにおいては、衛星放送（ＢＳ、ＣＳ）や有線放送など、地上波放送の数十倍ものコンテンツの中から希望のコンテンツを選択することが可能となっており、地上波放送しか視聴できない従来型の携帯テレビに対しては、利用者は不満を感じていた。
【０００４】
そのような状況において、新たな放送形態として、デジタル放送と呼ばれる放送が開始されることとなった。これは、専用の放送衛星を介して送られた電波を、専用の携帯型テレビにおいて受信するシステムである。携帯型テレビにおける受信を対象としているため、１つの放送における情報量が少なくて済み、その電波を、従来のＢＳ、ＣＳの衛星のものよりも大きなアンテナを用いて送信することにより、パラボラアンテナなどを必要とせずに、携帯型テレビに内蔵されたアンテナで受信が可能となる。また、地上にも複数の中継局を設置することにより、屋内などでも受信が可能となる。このようなシステムによって、外出先などであっても、地上は放送以外のコンテンツ以外の放送についても利用者は好みの番組を選択して視聴することができることになる。
【０００５】
但し、このようなシステムであっても決して万能なものではなく、テレビを起動させたり番組を選択したりしてから表示されるまでの間には、ブート処理などによりタイムラグが生じてしまう。また、衛星との間が厚い雲に遮られたり、中継局との位置関係によっては、デジタル放送の電波が受信不可能な状態に陥ることもある。携帯テレビにおいて放送区域外となったために電波が受信できなくなった際に別の電波を受信可能とする装置が開示されている（例えば、特許文献１参照）。
【特許文献１】特開２００２−３１９９１２号公報
【発明の開示】
【発明が解決しようとする課題】
【０００６】
しかしながら、特許文献１記載の発明は、あくまでも地上波放送といった放送区域の限られた放送を対象としたものであり、デジタル放送のように放送区域の制限なく、日本全国いかなる場所においても視聴可能であることを目標としたシステムに関しては、応用することができない。
【０００７】
従って、本発明の目的は、使用時に受信画像を表示できない状態において、画像が表示されないことの苦痛から利用者を開放することが可能なデジタル放送受信装置および表示切替方法を提供することにある。
【課題を解決するための手段】
【０００８】
本発明は、上記目的を達成するために、デジタル放送の電波を受信するデジタル放送受信手段と、予め所定の画像を記憶する画像記憶手段と、前記デジタル放送受信手段により受信した受信画像と前記画像記憶手段に記憶された記憶画像とのいずれかを選択する画像選択手段とを備え、前記画像選択手段は、使用時に前記受信画像の表示が不可能な状態において、前記記憶画像を表示装置に表示させることを特徴とするデジタル放送受信装置を提供する。
【０００９】
デジタル放送受信装置をこのような構成とすることで、駆動状態でありながらも受信画像を表示できない状態においても予め記憶された画像を表示することができるので、画像が表示されない状態でも利用者を退屈させず、画像が表示されないことの苦痛から利用者を開放することが可能となる。
【００１０】
上記記憶画像は、受信画像の一部を保存したものや、ネットワークを介して得られたデータであってもよい。
【００１１】
このような構成とすることで、パソコンのモニタ上のいわゆる壁紙機能のように、利用者各々が好みの画像を用意することができるので、より退屈させること無く、画像が表示されないことの苦痛から利用者を開放することが可能となる。
【００１２】
上記画像記憶手段は複数の画像を記憶するものであり、上記デジタル放送受信装置は、当該複数の画像の中から１を選択して前記記憶画像とする記憶画像選択手段を備えるものであってもよい。
【００１３】
このような構成とすることで、複数の画像の中から表示画像を選択できるので常に同じ画像が表示されることがなくなり、より退屈させること無く、画像が表示されないことの苦痛から利用者を開放することが可能となる。
【００１４】
上記受信画像の表示が不可能な状態とは、起動時、終了時、チャンネル切換時または受信状態不良時のいずれかであることが望ましい。
【００１５】
また、本発明は、上記目的を達成するために、デジタル放送に基づく画像表示に関する入力を行う入力段階と、前記入力に基づく処理の実行中に予め定めた画像表示を行う表示切替段階とを有することを特徴とする表示切替方法を提供する。
【００１６】
また、本発明は、上記目的を達成するために、第１の画像を表示する第１の表示段階と、前記第１の画像からデジタル放送に基づく第２の画像に切り替わるまでの間に予め定めた画像を表示させる表示切替段階と、前記予め定めた画像の表示中に表示可能となった前記第２の画像を前記予め定めた画像に代えて表示させる第２の表示段階とを有することを特徴とする表示切替方法を提供する。
【発明の効果】
【００１７】
本発明によれば、デジタル放送受信装置が、駆動状態でありながらも起動時などの受信画像を表示できない状態において、予め記憶された画像を表示するので、画像が表示されないことの苦痛から利用者を開放することが可能となる。
【発明を実施するための最良の形態】
【００１８】
以下に、本発明に係るデジタル放送受信装置の好適な実施の形態について、図面を基に説明する。
［受信装置の構成］
【００１９】
図１は、本発明に係るデジタル放送受信装置の概観図である。受信装置１は、本体部２と、本体部２の上部に設けられたラップトップ部３と、ラップトップ部３に設けられたモニタ部４と、本体部２とラップトップ部３とを接続するヒンジ部５と、本体部２の前面に設けられた電源スイッチ６と、本体部２の側面に設けられたホールドスイッチ７と、同じく本体部２の側面に設けられたヘッドホン端子８と、本体部２の上面に設けられた操作スイッチ群９とからなる。
【００２０】
本体部２は、電源、内蔵アンテナ、チューナー部などの後述する図２に記載される各機能部が収納された筐体である。
【００２１】
ラップトップ部３にはモニタ部４が設けられており、利用者が放送を視聴する際には、このラップトップ部３を開くことによりモニタ部４が視認可能となり、放送を視聴しない際には、ラップトップ部３を閉じることにより、モニタ部４が収納されるとともに操作スイッチ群９が覆われ保護される。
【００２２】
モニタ部４は、デジタル放送の画像を表示するものであり、主としてＬＣＤが用いられる。但し、本発明に係るデジタル放送受信装置のモニタ部はＬＣＤに限るものでなく、ＣＲＴや有機ＥＬディスプレイを用いたものであってもよい。
【００２３】
ヒンジ部５は、ラップトップ部３が本体部２に対して開閉可能となるように設けられている。電源スイッチ６は、受信装置１の電源のＯＮ／ＯＦＦに用いられる。ホールドスイッチ７は、操作スイッチ群９による操作の有効／無効の切替を行うものであり、無効とすることで利用者による誤作動を防止する。ヘッドホン端子８は、ヘッドホンを介してデジタル放送の音声の聴取をするために設けられており、ヘッドホンのプラグを嵌入することで音声の聴取が可能となる。
【００２４】
なお、本実施の形態に係る受信装置１は、スピーカを備えず、音声はヘッドホンを介してのみ聴取可能なものであるが、本発明はこれに限らず、本体部２にスピーカを備えヘッドホン無しでも音声の聴取が可能となるよう構成されたものであってもよい。
［受信装置のシステムの構成］
【００２５】
図２は、図１のデジタル放送受信装置の構成を示すブロック図である。受信装置１は、デジタル放送の伝送信号を受信するアンテナ部１１と、受信した伝送信号を処理する受信処理部１２と、処理された信号をデコードするデコード部１３と、デコードされた信号のうち映像信号について処理する信号処理／グラフィック処理部１４と、処理された映像信号に基づき表示デバイスであるモニタ部４を制御する表示デバイスコントローラ１５と、デジタル放送の映像を表示するモニタ部４と、デコードされた信号のうち音声信号について処理する音声信号処理部１６と、外部メモリであるメモリーカード１７とのデータを交換するメモリーカードインターフェイス１８と、後述する起動プログラム等を格納する内部メモリ１９と、各構成部を駆動するためのＣＰＵ２０と、利用者が各種操作を行うための操作部２１と、受信装置１を駆動させるための電源であるバッテリ２２と、バッテリ２２からの電気を各構成部に供給する電源部２３と、ヘッドホン出力部２４とからなる。
【００２６】
デジタル放送受信装置１では、デジタル放送の伝送信号が受信アンテナ１１から受信処理部１２に入力され、復調や誤り訂正等が施されたトランスポートストリームがデコード部１３に入力される。デコード部１３において映像信号及び音声信号がデコードされた後、デコードされた映像信号は信号処理／グラフィック処理部１４に入力される。グラフィック重畳等の信号処理が施された映像信号は表示デバイスコントローラ１５を経て、モニタ部４で表示される。一方、デコード部１３においてデコードされた音声信号は、音声信号処理部１６で音質変更処理等が施された後アナログ信号へ変更され、ヘッドホン出力部２４を介してヘッドホンから出力される。ヘッドホン出力部２４は、ヘッドホン端子８へと接続されている。
【００２７】
また、受信処理部１２は、受信したデジタル放送の伝送信号の処理においてかかる放送が表示できない場合には、内部メモリ１９またはメモリーカード１７に記憶された映像データの中から指定されたものを呼び出し、表示させる為にデコード部１３に当該データを送信する。これにより、受信装置１の起動時などで、起動から放送画像の表示までのタイムラグにおいても所定の画像が表示できる。
【００２８】
また、操作部２１は、図１に示すホールドスイッチ７や操作スイッチ群９と接続されており、各スイッチの操作によって発せられた信号をＣＰＵ２０に送信する。
【００２９】
なお、図１及び図２に示す受信装置１はモニタ部４を備えたものであるが、本発明はこれに限らず、モニタ部を備えることなく、既存の液晶テレビなどと接続し、受信した映像を表示させるような構成であってもよい。この場合、カーナビゲーションシステムのモニタなど、既に乗用車に備え付けのモニタに接続するだけでデジタル放送の表示が可能となるので、導入時のコストを押さえることもできる。
［画像の表示例］
【００３０】
図３及び図４は、モニタ部における表示例である。図３は、受信装置を起動させた際にモニタ部に表示される表示画像の一例であり、図４は、起動時等に表示される画像の種類の設定を行う際に表示される画像の一例である。
【００３１】
図３において、受信装置１を起動させると、モニタ部４には、図３（ａ）に示すように「ｗｅｌｃｏｍｅ！  ｍｏｂｉｌｅ  ｂｒｏａｄｃａｓｔｉｎｇ  ＴＯＳＨＩＢＡ」と、受信装置１が起動したことを表す起動時画像３１が表示される。
【００３２】
次に、図３（ｂ）に示すように、夜の海の画像が表示される。モニタ部４の上方には真っ暗な空３２が表示され、下方には水平線３３を挟んで海３４が表示される。時間の経過とともに、図３（ｃ）に示すように次第に空３２の色が明るくなり、水平線３３から太陽３５が昇り始める。そして、図３（ｄ）に示すように完全に太陽３５が昇りきると、空３２は明るくなるといった、一連の動画が表示される。
【００３３】
このような動画を表示することで、表示装置１の起動時から、実際にデジタル放送を受信して表示が開始されるまでの待ち時間の間にも、画像を表示することができ、利用者を退屈させることがない。
【００３４】
なお、図３に示した画像は一例に過ぎず、いかなる映像が表示されるものであってもよく、表示する映像も一種類に限定されることはない。予め複数の映像が本体に記憶されており、利用者の好みに応じて自由に選択できるものであってもよい。更には、予め記憶された映像以外にも、インターネットやデジタル放送を介して入手した映像をメモリーカード１７等に記憶させて、それを表示させてもよい。
【００３５】
また、図３に示すような画像の表示時間は、予め定められた一定時間であってもよく、放送の受信処理の進行度合いに応じて表示時間が変動するものであってもよい。
【００３６】
図４において、利用者が画面設定一覧の表示画面を表示するよう操作した場合、まず図４（ａ）に示す画面設定一覧が表示される。モニタ部４には、画像を変更しようとする画面の種類を選択する旨の指示を示す指示文４１が表示され、その下に画面リスト４２が表示される。画面リスト４２には、起動画面や終了画面といった画面の種類と同時に、その時点において設定されている画像の種類も表示されている。
【００３７】
ここで利用者が一覧の中から１つ、例えば起動画面を変更するために起動画面を選択すると、図４（ｂ）に示すような画像候補の表示された設定画面が表示される。ここでは、モニタ部４には、指定した画面において表示可能な画像の種類を選択する旨の指示を示す指示文４３が表示され、その下に画像リスト４４が表示される。なお、図４（ｂ）においては画像リストはお好み画像と標準画像の２種類から選択するような表示がされているが、本発明はこれに限らず、３つ以上の画像から選択可能となるように設定されていてもよい。
【００３８】
次に、利用者が設定しようとする画面を選択すると、図４（ｃ）に示すような画像変更中である旨を示す変更中表示４５が表示され、画像の設定を変更中であることを利用者に報知する。そして、画像の設定の変更が完了すると、図４（ｄ）に示すような画像変更が終了した旨を示す終了表示４６が表示され、画像変更が終了したことを利用者に報知する。
【００３９】
このような表示を画像変更の際に行うことにより、利用者が間違えることなく希望する画像に画像変更をすることができる。
［受信装置における画像表示プログラムの実施例］
【００４０】
以下、本デジタル放送受信装置における画像表示方法の一例を、図１から図４を参照しつつ、フローチャートを用いて説明する。なお、以下においては、特に記載のない限りはＣＰＵがその動作を行うものとする。
［電源オン時の場合］
【００４１】
図５は、受信装置の電源オン時の画像表示に関するフローチャートである。
【００４２】
図５において、最初は受信装置１の電源がオフ状態であり（Ｓ１）、電源スイッチ６が押動されなければ電源オフ状態が継続されるが（Ｓ２：Ｎ）、電源スイッチ６が押動された場合には（Ｓ２：Ｙ）、起動処理がなされ（Ｓ３）、受信装置１の各部に電源が供給され、アンテナ部１１を介してデジタル放送の受信が開始される。
【００４３】
次いで、メモリ１９から起動時用標準画像を呼び出し、モニタ部４において図３に示すような起動時用の標準画像を表示させる（Ｓ４）。その一方で、デジタル放送の受信を継続し、受信したデジタル放送データをブート処理する（Ｓ５）。
【００４４】
デジタル放送データのブート処理が完了して放送の映像の表示が可能となると、起動時用標準画像の表示を終了させ、デジタル放送の画像の表示を開始させ、同時に、受信放送の変更や切換画像の変更などといった、受信装置１に組み込まれた各種アプリケーションを起動させる（Ｓ６）。
【００４５】
以上のようなプログラムを実行することにより、受信装置１の起動時において、電源を入れてから受信したテレビ映像が表示可能となるまでの間に何も表示がされない状態を防ぎ、利用者を飽きさせない画像を表示させることが可能となる。
［電源オフ時の場合］
【００４６】
図６は、受信装置の電源オフ時の画像表示に関するフローチャートである。
【００４７】
図６において、最初は受信装置１の電源がオン状態であり（Ｓ１１）、電源スイッチ６が押動されなければ電源オン状態が継続されるが（Ｓ１２：Ｎ）、電源スイッチ６が押動された場合には（Ｓ１２：Ｙ）、アプリケーション終了の処理がなされ（Ｓ１３）、デジタル放送の受信に関するプログラムを終了する。
【００４８】
次いで、メモリ１９から終了時用標準画像を呼び出し、モニタ部４において終了時用の標準画像を表示させる（Ｓ１４）。
【００４９】
終了時用の画像表示以外の全てのアプリケーションが終了したところで、当該画像の表示を終了し、受信装置１の各部の駆動を全て終了させ、受信装置１をオフ状態とする（Ｓ１５）。
【００５０】
以上のようなプログラムを実行することにより、受信装置１の終了時において、電源オフにしてから受信装置１がオフ状態となるまでの間に何も表示がされない状態を防ぎ、利用者を飽きさせない画像を表示させることが可能となる。
［チャンネル切換時の場合］
【００５１】
図７は、受信装置においてチャンネルを切換える際の画像表示に関するフローチャートである。
【００５２】
図７において、最初は受信装置１が通常動作状態であり（Ｓ２１）、何らかの番組を受信、画像表示がされている。その際、チャンネル切換操作がなければそのままの番組の画像表示が継続されるが（Ｓ２２：Ｎ）、チャンネル切換操作があった場合には（Ｓ２２：Ｙ）、メモリ１９からチャンネル切換時用標準画像を呼び出し、モニタ部４においてチャンネル切換時用の標準画像を表示させる（Ｓ２３）。
【００５３】
次いで、受信処理部１２において選択された新たなチャンネルの電波を選局させ、当該電波を受信させる（Ｓ２４）。
【００５４】
選局処理が完了し、選局後の新たなチャンネルの放送が表示可能となったところで、チャンネル切換時用標準画像の表示を終了し（Ｓ１５）、選局後の新たな放送を表示させ、通常動作状態へと戻る。
【００５５】
以上のようなプログラムを実行することにより、受信装置１におけるチャンネル選局時に、選局してから新たな番組が受信可能となるまでの間に何も表示がされない状態を防ぎ、利用者を飽きさせない画像を表示させることが可能となる。
［画面設定時の場合］
【００５６】
図８は、受信装置において起動／終了／チャンネル切換時に表示される画面を設定する際の画像表示に関するフローチャートである。
【００５７】
利用者が操作スイッチ群９を操作することにより画面設定を変更する旨の信号を受信した場合、まず、モニタ部４に図４（ａ）に示すような画面設定一覧の画像を表示させる（Ｓ３１）。そして利用者が、一覧の中から１つの画面を選択すると、図４（ｂ）に示すような表示可能な画面の候補を表示させる（Ｓ３２）。
【００５８】
次に、内蔵メモリ１９に格納された画像以外の画像を表示させたいと利用者が所望する場合には、予め画像ファイルが記録されたメモリーカード１７を所定のスロットに挿入させるよう促し（Ｓ３３）、利用者が表示可能画像の中から１を選択した後、図４（ｃ）に示すような画像変更中の画面を表示させる。
【００５９】
そして、画像設定の変更が終了した時点で、図４（ｄ）に示すような画面を表示させ、利用者に画像設定の変更が終了したことを報知する。
【００６０】
以上のようなプログラムを実行することにより、利用者が表示させたい画像の種類を確実に設定することが可能となる。
【図面の簡単な説明】
【００６１】
【図１】本発明に係るデジタル放送受信装置の外観を示す斜視図である。
【図２】本発明に係るデジタル放送受信装置の構成を示すブロック図である。
【図３】本発明に係るデジタル放送受信装置における起動時の画像の表示例である。
【図４】本発明に係るデジタル放送受信装置における画面設定変更時の画像の表示例である。
【図５】本発明に係るデジタル放送受信装置における電源オン時の画像表示のプログラムを示すフローチャートである。
【図６】本発明に係るデジタル放送受信装置における電源オフ時の画像表示のプログラムを示すフローチャートである。
【図７】本発明に係るデジタル放送受信装置におけるチャンネル切換時の画像表示のプログラムを示すフローチャートである。
【図８】本発明に係るデジタル放送受信装置における画面設定変更時の画像表示のプログラムを示すフローチャートである。
【符号の説明】
【００６２】
・  受信装置  ２、本体部  ３、ラップトップ部  ４、モニタ部
５、ヒンジ部  ６、電源スイッチ  ７、ホールドスイッチ
・  ヘッドホン端子  ９、操作スイッチ群  １１、アンテナ部
１２、受信処理部  １３、デコード部  １４、信号処理／グラフィック処理部
１５、表示デバイスコントローラ  １６、音声信号処理部
１７、メモリーカード  １８、メモリーカードインターフェイス
１９、内部メモリ  ２０、ＣＰＵ  ２１、操作部  ２２、バッテリ
２３、電源部  ２４、ヘッドホン出力部  ３１、起動時画像
３２、空  ３３、水平線  ３４、海  ３５、太陽  ４１、指示文
４２、画面リスト  ４３、指示文  ４４、画像リスト  ４５、変更中表示
４６、終了表示
【図１】
2006094361.tif 000003
【図２】
2006094361.tif 000004
【図３】
2006094361.tif 000005
【図４】
2006094361.tif 000006
【図５】
2006094361.tif 000007
【図６】
2006094361.tif 000008
【図７】
2006094361.tif 000009
【図８】
2006094361.tif 000010